(57)【特許請求の範囲】
【請求項１】
カード状部材が挿入されるカード状部材挿入部が前面に開口されたハウジングと、前記カード状部材を押し出し方向に付勢する付勢手段と、所定の押し込み位置で前記カード状部材の移動を規制するロック機構とを備え、前記ハウジング内に棒状のピンからなる取出し操作用部材を挿入することにより、前記ロック機構の規制が解除され、前記カード状部材が取出されるようにした取出し機能付きカードコネクタにおいて、
前記ロック機構は、前記ハウジングの一方の側部に、カード状部材の出し入れ方向に向けたロック部材を備え、
該ロック部材は導電性金属板材を折り曲げ加工することにより一体に形成された、前記ハウジングに固定される固定片部と、該固定片部の一端よりカード状部材出し入れ方向に向けて延長された弾性バネ片部と、該弾性バネ片部の先端側に支持されて前記カード状部材の側縁部に備えた係合凸部と着脱可能に係合される係合部とを有し、
前記弾性バネ片部には、ハウジング内に挿入された取出し操作用部材によって横方向に押し出し動作される操作用凸部を有するとともに、取出し操作検知スイッチを構成する操作側接点部を前記操作用凸部と一体に有し、
前記ハウジングには、前記ロック部材より前記一方の側部側に、これと間隔を隔てて前記取出し操作検知スイッチを構成する被操作側スイッチコンタクトが備えられ、
前記取出し操作用部材が挿入されることによって、該取出し操作用部材により前記操作用凸部が側方に押し出されて前記係合部が前記カード状部材より離脱する方向に動作されるとともに、前記操作側接点部が被操作側スイッチコンタクトの被操作側接点部に接触されるようにしたことを特徴としてなる取出し機能付きカードコネクタ。
【発明の詳細な説明】
【技術分野】
【０００１】
本発明は、ＩＣカード等のカードを基板に接続するためのカードコネクタであって、カードを簡単な操作で取り出すことのできる取り出し機能付きカードコネクタに関する。
【背景技術】
【０００２】
従来、この種のカードコネクタにおいては、プッシュピンを操作することによりＩＣカード等のカード又はそのカードを収容したカードトレイ等のカード状部材をハウジング内より取り出すことができる取り出し機能付きのものが知られている（例えば、特許文献１）。
【０００３】
この取出し機能付きカードコネクタは、例えば、図１０に示すように、ハウジング１００のカード挿抜方向奥側に回動可能に支持された押出アーム１０１を備え、プッシュピン１０２で押出しアーム１０１の一方の端部を押し込むことにより押出アーム１０１を回動させ、アームの他端側１０３でカードトレイ１０４の奥側縁を排出方向に押し出すようになっている。
【先行技術文献】
【特許文献】
【０００４】
【特許文献１】特開平１０−１８９１３９号公報
【発明の概要】
【発明が解決しようとする課題】
【０００５】
しかしながら、上述の如き従来の技術では、押出しアーム及び押出アームを操作するためのプッシュピン等からなる取出し機構を有するため、コネクタ全体の外形、即ち、コネクタが取り付けられる基板に対する専有面積が大きくなり、それに伴い設計の自由度も低下するという問題があった。一方でコネクタの小型化を図るため押出しアームの外形を小さくすると、十分な押出し量をもってカード状部材を排出するのに必要なアームの長さが確保できないという問題があった。
【０００６】
また、カード状部材を押し出す際、操作者の加えた力がプッシュピンを介して押出しアームに伝わるため、操作者が力を入れすぎるとカード状部材が勢いよく飛び出してしまい、カード等の破損を招く虞があるという問題があった。更に、落下等による衝撃によってもトレイ等のカード状部材が抜け出てしまう虞があるという問題があった。
【０００７】
更にまた、取出し機構を有するためにこの種のコネクタでは、部品点数が多くなり、その分コストが嵩むという問題がある。
【０００８】
本発明は、このような従来の問題に鑑み、安定したカード取出し操作を行くことができるとともに小型化を可能とし、且つ安価に製造が可能な取出し機能付きカードコネクタの提供を目的としてなされたものである。
【課題を解決するための手段】
【０００９】
上述の如き従来の問題を解決し、所期の目的を達成するための請求項1に記載の発明の特徴は、カード状部材が挿入されるカード状部材挿入部が前面に開口されたハウジングと、前記カード状部材を押し出し方向に付勢する付勢手段と、所定の押し込み位置で前記カード状部材の移動を規制するロック機構とを備え、前記ハウジング内に棒状のピンからなる取出し操作用部材を挿入することにより、前記ロック機構の規制が解除され、前記カード状部材が取出されるようにした取出し機能付きカードコネクタにおいて、前記ロック機構は、前記ハウジングの一方の側部に、カード状部材の出し入れ方向に向けたロック部材を備え、該ロック部材は導電性金属板材を折り曲げ加工することにより一体に形成された、前記ハウジングに固定される固定片部と、該固定片部の一端よりカード状部材出し入れ方向に向けて延長された弾性バネ片部と、該弾性バネ片部の先端側に支持されて前記カード状部材の側縁部に備えた係合凸部と着脱可能に係合される係合部とを有し、前記弾性バネ片部には、ハウジング内に挿入された取出し操作用部材によって横方向に押し出し動作される操作用凸部を有するとともに、取出し操作検知スイッチを構成する操作側接点部を前記操作用凸部と一体に有し、前記ハウジングには、前記ロック部材より前記一方の側部側に、これと間隔を隔てて前記取出し操作検知スイッチを構成する被操作側スイッチコンタクトが備えられ、前記取出し操作用部材が挿入されることによって、該取出し操作用部材により前記操作用凸部が側方に押し出されて前記係合部が前記カード状部材より離脱する方向に動作されるとともに、前記操作側接点部が被操作側スイッチコンタクトの被操作側接点部に接触されるようにしたことにある。
【発明の効果】
【００１０】
本発明に係る取出し機能付きカードコネクタは、請求項１に記載のように、カード状部材が挿入されるカード状部材挿入部が前面に開口されたハウジングと、前記カード状部材を押し出し方向に付勢する付勢手段と、所定の押し込み位置で前記カード状部材の移動を規制するロック機構とを備え、前記ハウジング内に棒状のピンからなる取出し操作用部材を挿入することにより、前記ロック機構の規制が解除され、前記カード状部材が取出されるようにした取出し機能付きカードコネクタにおいて、前記ロック機構は、前記ハウジングの一方の側部に、カード状部材の出し入れ方向に向けたロック部材を備え、該ロック部材は導電性金属板材を折り曲げ加工することにより一体に形成された、前記ハウジングに固定される固定片部と、該固定片部の一端よりカード状部材出し入れ方向に向けて延長された弾性バネ片部と、該弾性バネ片部の先端側に支持されて前記カード状部材の側縁部に備えた係合凸部と着脱可能に係合される係合部とを有し、前記弾性バネ片部には、ハウジング内に挿入された取出し操作用部材によって横方向に押し出し動作される操作用凸部を有するとともに、取出し操作検知スイッチを構成する操作側接点部を前記操作用凸部と一体に有し、前記ハウジングには、前記ロック部材より前記一方の側部側に、これと間隔を隔てて前記取出し操作検知スイッチを構成する被操作側スイッチコンタクトが備えられ、前記取出し操作用部材が挿入されることによって、該取出し操作用部材により前記操作用凸部が側方に押し出されて前記係合部が前記カード状部材より離脱する方向に動作されるとともに、前記操作側接点部が被操作側スイッチコンタクトの被操作側接点部に接触されるようにしたことにより、少ない部品点数でカードトレイ等のカード状部材をハウジング内に保持することができるとともに安定して取出すことができ、小型化が可能でコストの低減を図ることができるとともに、ロック機構と取出し操作検知スイッチとを兼用することで部品点数を減らすことができ、コストの低減及びコネクタ全体の小型化を実現することができる。
【図面の簡単な説明】
【００１１】
【図１】本発明に係る取出し機能付きカードコネクタの一例を示す分解斜視図である。
【図２】（ａ）は図１中のカードトレイを示す平面図、（ｂ）は同底面図、（ｃ）は同Ａ−Ａ線断面図である。
【図３】本発明に係る取出し機能付きカードコネクタのロック機構部分を示す部分拡大平面図である。
【図４】（ａ）は図３中のロック部材を示す平面図、（ｂ）は同右側面図である。
【図５】同上のロック部材の固定状態を示す部分拡大断面図である。
【図６】（ａ）は図３中の被操作側スイッチコンタクトを示す平面図、（ｂ）は同右側面図である。
【図７】本発明に係る取出し機能付きカードコネクタの押し出し位置における状態を示すシールドケースを取り除いた平面図である。
【図８】本発明に係る取出し機能付きカードコネクタの所定の押し込み位置における状態を示すシールドケースを取り除いた平面図である。
【図９】（ａ）はロック機構によりカードトレイがロックされた状態を示す部分拡大平面図であり、（ｂ）は同ロック機構のロックが解除された状態を示す部分拡大平面図である。
【図１０】従来の取出し機能付きカードコネクタの一例を示す部分破断平面図である。
【発明を実施するための形態】
【００１２】
次に、本発明に係るカードコネクタの実施の態様を、図面に示した実施例に基づいて説明する。尚、図中符号ＡはＩＣカード等のカードである。
【００１３】
このカードコネクタは、カードＡを収容したカードトレイ１をハウジング２に挿入することにより、カードＡの片面に配置された端子部３，３......がハウジング２内に支持されたコンタクト４，４......と弾性的に接触し、コンタクト４を介してカードＡをハウジング２が設置された基板に電気的に接続させるようになっている。
【００１４】
カードトレイ１は、図２に示すように、片面側にカードＡが収容されるカード収容凹部５ａを有する平板状の本体部５と、本体部５の挿入方向手前側に配置された前縁露出部６とを有して絶縁性樹脂材により一体に形成されている。
【００１５】
本体部５の側縁奥側部には、被付勢部７が突設されており、この被付勢部７は、カードトレイ１の押し込み動作に伴い、後述する復帰バネ８を圧縮方向に押圧するようになっている。また、本体部５の側縁部には、後述するロック部材９と互いに係合する係合突部１０が突設されている。
【００１６】
前縁露出部６は、カードコネクタ１が電気機器に組み込まれた際に機器躯体の外側面に露出するようになっており、カードトレイ１がハウジング２より排出された場合、カードトレイ１が機器躯体の外側面より引き出し状に突出するようになっている。尚、図中符号 １１は、後述する操作用部材１２をガイドするためのガイド孔である。
【００１７】
ハウジング２は、絶縁樹脂材からなるモールドケース１３と、シールドカバー１４とを組み込んで形成され、カードトレイ１が挿入されるカード状部材挿入部１５が出し入れ方向手前面に開口して形成されている。
【００１８】
モールドケース１３は、カード状部材挿入部１５を構成する凹部が上面部に形成され、その側部には、図３に示すように、復帰バネ８が収容されるバネ収容部１６が形成されている。また、モールドケース１３には、バネ収容部１６のカードトレイ側に、モールドケース１０を基板に固定するためのホールドダウン１７がインサート成型により一体化されている。
【００１９】
バネ収容部１６は、カードトレイ側が開口され、カードトレイ１の被付勢部７がカードトレイ１の押し込み動作に伴いバネ収容部１６内をカードトレイ１の出し入れ方向で移動できるようになっている。
【００２０】
バネ収容部１６の奥側内側面部には、復帰バネ８の一端が巻き付けられて固定されるバネ固定用凸部１８が突設されている。
【００２１】
ホールドダウン１７には、カードトレイ１の出し入れ方向に向けたバネ規制部１７ａを有し、復帰バネ８は、このバネ収容部１６の内側面とバネ規制部１７ａとに挟まれて伸縮することにより、被付勢部７に対し復帰バネ８の端部が的確に接触できるようになっている。尚、バネ規制部１７ａは、カードトレイ１の移動を阻害しない高さだけハウジング底面より突出するように形成されている。
【００２２】
また、モールドケース１３の一方の側部には、所定の押し込み位置でカードトレイ１の移動を規制するロック機構を備え、このロック機構は、針金棒状のピンからなる取出し操作用部材１２をカードトレイ１の移動方向に沿って動作させることにより規制が解除できるようになっている。
【００２３】
ロック機構は、カードトレイ１の出し入れ方向に向けたロック部材９を備え、このロック部材９が所定の押し込み位置においてカードトレイ１の側縁部と互いに係合することで所定の押し込み位置においてカードトレイ１の移動を規制することができるようになっている。
【００２４】
ロック部材９は、図４に示すように、弾性を有する導電性金属板材を折り曲げ加工することにより一体に形成され、固定片部２０、弾性バネ片部２１、支持片部２２、係止部２３及び操作用凸部２４をもって構成されている。
【００２５】
固定片部２０は、矩形状に形成され、モールドケース１３の側部の支持台部２５に形成されたロック部材収容溝２６に挿入される。このロック部材収容溝２６の底部には、圧入孔２７が形成されており、図５に示すように、この圧入孔２７に固定片部２０の下側縁より突出した圧入片２８が圧入されることにより固定片部２０が支持台部２５に固定されるようになっている。
【００２６】
また、固定片部２０には、後方部下縁より外向きに折り曲げた形状の基板接続端子部２９が一体に支持されている。この基板接続端子部２９は、モールドケース１３の側縁より突出した先端部が接続基板に形成された接続パターンに半田付けされるようになっている。
【００２７】
弾性バネ片部２１は、固定片部２０の出し入れ方向手前側の端部より延長した細長板状の直線延長部２１ａと、直線延長部２１ａの先端よりカードトレイ側に傾斜した傾斜部２１ｂとにより構成され、固定片部２０を基端としてコネクタ幅方向で弾性的に回動可能なバネ状をなしている。
【００２８】
支持片部２２は、傾斜部２１ｂの先端側より出し入れ方向手前側に延長された矩形状に形成され、この支持片部２２に係止部２３及び操作用凸部２４が支持されている。また、この支持片部２２の背面部が接点として後述する被操作側スイッチコンタクト３０と接触するようになっている。
【００２９】
係止部２３は、支持片部２２の両側縁よりカードトレイ側に折り曲げたて形成され、この係止部２３は、三角形状に形成され、その奥側縁部２３ａが係合突部１０と互いに係合するようになっている。
【００３０】
操作用凸部２４は、支持片部２２の先端側を山形となるように折り曲げた形状に形成され、支持片部２２の先端をカードトレイ側斜め方向に折り返した手前側傾斜部２４ａと、頂部２４ｂを介して斜め後方に折り曲げられた奥側傾斜部２４ｃとを有している。
【００３１】
また、このロック部材９は、カードトレイ１の出し入れ方向に向けた被操作用スイッチコンタクト３０と共に取出し操作検知スイッチを構成し、取出し操作用部材１２の動作を検知することができるようになっている。
【００３２】
被操作用スイッチコンタクト３０は、ハウジング２の前記ロック部材９より更に一方の側部側に備えられ、図６に示すように、導電性の金属板材を打ち抜き・折り曲げ加工することにより一体に形成され、固定片部３１、弾性片部３２及び被操作側接点部３３を有している。
【００３３】
固定片部３１は、細長板状に形成され、モールドケース１３の側部の支持台部２５に形成されたスイッチコンタクト収容溝３４に挿入される。
【００３４】
このスイッチコンタクト収容溝３４の底部には、図５に示すロック部材収容溝２６と同様に、圧入孔２７が形成されており、この圧入孔２７に固定片部３１の下側縁より突出した圧入片２８が圧入されることにより固定片部３１が支持台部２５に固定されるようになっている。
【００３５】
また、固定片部３１には、後方部下縁より外向きに折り曲げた形状の基板接続端子部３５が一体に支持されている。この基板接続端子部３５は、モールドケース１３の側縁より突出した先端部が接続基板に形成された接続パターンに半田付けされるようになっている。
【００３６】
弾性片部３２は、固定片部３１の一方の端部より出し入れ方向に向けて延長した形状に形成され、その先端部稍後方側にロック部材側に向けて水平横方向に傾斜させた第一傾斜部３２ａがあり、その傾斜部３２ａの後方に伸びる後方側延長部３２ｂが形成され、その後端に被操作側接点部３３が備えられている。この被操作側接点部３３は、ロック部材側に膨らんだ円弧状となっている。
【００３７】
このように構成された取出し機能付きカードコネクタは、カードトレイ１をハウジング２に挿入すると、カードトレイ１の被付勢部７が復帰バネ８の端部と当接し、復帰バネ８によりカードトレイ１は押し出し方向に付勢される。
【００３８】
この復帰バネ８の付勢力に抗して更にカードトレイ１を押し込むと、図７に示すように、係合突部１０が操作用凸部２４と接触して弾性バネ片部を被操作側スイッチコンタクト側に押し遣り、それによりロック部材９と被操作側スイッチコンタクト３０とが接触し、取出し操作検知スイッチがオン状態となる。
【００３９】
更にカードトレイ１を押し込むと、図８に示すように所定の押し込み位置において、ロック部材９のバネ性により、ロック部材９の係止部２３とカードトレイ１の係合突部１０とが互いに係合され、カードトレイ１の出し入れ方向の移動が規制されるとともに、ロック部材９が被操作側スイッチコンタクト３０より離脱し、取出し操作検知スイッチがオフ状態となる。
【００４０】
一方、このカードトレイ１を取り出すためには、カードトレイ前縁部のガイド孔１１より針金棒状のイジェクト操作用部材１２をハウジング２内の所定の位置まで挿入し、図９（ａ）に示すように、操作用部材１２の先端部で操作用凸部２４の斜面２４ａを押圧し、更に押すと斜面２４ａによりガイドされて操作用部材１２の外面に操作用凸部２４の頂部２４ｂが接触し、操作用凸部２４に押されて弾性バネ片部２１が外側に押し遣られ、図９（ｂ）に示すように係止部２３がカードトレイ１の係合突部１０より離脱するとともにロック部材９の支持片部が被操作側スイッチコンタクト３０の被操作側接点部３３と接触し、取出し操作検知スイッチがオン状態となり、カードトレイ１の取出し動作が検知される。
【００４１】
そして、係止部２３が係合突部１０より離脱したことによりカードトレイ１の移動規制が解除され、それと同時に復帰バネ８により付勢されてカードトレイ１は押出し停止位置まで押し出される。その際、係止突部１０によりロック部材９が被操作側スイッチコンタクト側に押し遣られ取出し操作検知スイッチはオン状態が維持される。
【００４２】
尚、上述の実施例では、カード状部材として内部にカードを収容するカードトレイを用いた例について説明したが、トレイを用いずにカードを直接コネクタに挿入するようにしたものであってもよい。
【００４３】
また、付勢手段について上述の実施例では、カードトレイを直接復帰バネで付勢するようにしたものについて説明したが、付勢手段としては、カードトレイと共にハウジング内を移動するスライダーを介して付勢するようにしたものであってもよい。
【符号の説明】
【００４４】
Ａ カード
１ カードトレイ
２ ハウジング
３ 端子部
４ コンタクト
５ 本体部
６ 前縁露出部
７ 被付勢部
８ 復帰バネ
９ ロック部材
１０ 係合突部
１１ ガイド孔
１２ イジェクト操作用部材
１３ モールドケース
１４ シールドカバー
１５ カード状部材挿入部
１６ バネ収容部
１７ バネ固定用凸部
２０ 固定片部
２１ 弾性バネ片部
２２ 支持片部
２３ 係止部
２４ 操作用凸部
２５ 支持台部
２６ ロック部材収容溝
２７ 圧入孔
２８ 圧入片
２９ 基板接続端子部
３０ 被操作側スイッチコンタクト
３１ 固定片部
３２ 弾性片部
３３ 被操作側接点部
３４ スイッチコンタクト収容溝
３５ 基板接続端子部
【図１】
0005181398.tif 000002
【図２】
0005181398.tif 000003
【図３】
0005181398.tif 000004
【図４】
0005181398.tif 000005
【図５】
0005181398.tif 000006
【図６】
0005181398.tif 000007
【図７】
0005181398.tif 000008
【図８】
0005181398.tif 000009
【図９】
0005181398.tif 000010
【図１０】
0005181398.tif 000011